(57)【要約】【課題】１枚のシート状の本体の組み立てた状態において、人体の太ももの周囲を弾性伸縮部材で一周させてその弾性伸縮部材の両端を固定状態とすることで、横漏れを防止することができる使い捨て紙おむつを提供するものである。【解決手段】  背面部１２ａと前面部１２ｂとそれらを連絡する中間連絡部１２ｃとから成るものであって内側面１２ｄと外側面１２ｅとを有する１枚のシート状の本体１２を有する使い捨て紙おむつにおいて、中間連絡部１２ｃの外縁１２ｃの付近に伸縮自在な第一弾性伸縮部材４０を備え、第一弾性伸縮部材４０の一端と他端とを接合または近接させるように内側面１２ｄの一部と外側面１２ｅ外側面の一部とを接合させ、その接合した箇所またはその近接箇所を連結用固定手段５０，５２で着脱自在に固定する。【選択図】図１
2009153558.tif 000002
【特許請求の範囲】
【請求項１】
人体に接触する内側面と人体に接触しない外側面とを有する１枚のシート状の本体と、前記本体の前記内側面の中央に備えられるものであって液体を吸収貯蔵する主吸収ユニットとを有する使い捨て紙おむつにおいて、前記本体の外縁と前記主吸収ユニットとの間に伸縮自在な第一弾性伸縮部材を備え、前記第一弾性伸縮部材の一端と他端とを接合または近接させるように前記内側面の一部と前記外側面の一部とを重ね合わせ、その重ね合わせた箇所またはその重ね合わせた箇所の近傍を連結用固定手段で着脱自在に固定することを特徴とする使い捨て紙おむつ。
【請求項２】
前記第一弾性伸縮部材の近傍でその第一弾性伸縮部材の位置より前記主吸収ユニット側に液体を吸収貯蔵する第一副吸収ユニットを備えることを特徴とする請求項１記載の使い捨て紙おむつ。
【請求項３】
前記連結用固定手段を前記本体の前記外側面に取付けた第一連結用固定手段とし、前記第一連結用固定手段に前記本体の前記内側面の一部を着脱自在に固定することを特徴とする請求項１または２記載の使い捨て紙おむつ。
【請求項４】
前記連結用固定手段を前記本体の前記内側面か前記外側面のいずれかに取付けた第二連結用固定手段とし、前記第二連結用固定手段を前記本体の前記外側面に着脱自在に固定することを特徴とする請求項１または２記載の使い捨て紙おむつ。
【請求項５】
前記本体における前記第一弾性伸縮部材の位置と前記主吸収ユニットの位置の間に第二弾性伸縮部材を備え、前記第二弾性伸縮部材の一端と前記第二弾性伸縮部材の他端とを接合または近接させるように前記内側面の一部と前記外側面の一部とを重ね合わせ、その重ね合わせた箇所またはその重ね合わせた箇所の近傍を前記連結用固定手段で着脱自在に固定することを特徴とする請求項１記載の使い捨て紙おむつ。
【請求項６】
前記第二弾性伸縮部材の近傍でその第二弾性伸縮部材の位置より前記主吸収ユニット側に液体を吸収貯蔵する第二副吸収ユニットを備えることを特徴とする請求項５記載の使い捨て紙おむつ。
【請求項７】
前記連結用固定手段を前記本体の前記外側面に取付けた第一連結用固定手段とし、前記第一連結用固定手段に前記本体の前記内側面の一部を着脱自在に固定することを特徴とする請求項５または６記載の使い捨て紙おむつ。
【請求項８】
前記連結用固定手段を前記本体の前記前記内側面か前記外側面のいずれかに取付けた第二連結用固定手段とし、前記第二連結用固定手段を前記本体の前記外側面に着脱自在に固定することを特徴とする請求項５または６記載の使い捨て紙おむつ。
【請求項９】
前記本体の前記背面部における前記前面部と反対側位置に横方向に伸縮する第一弾性伸縮領域を形成したことを特徴とする請求項３，４，７，８のいずれか１項に記載の使い捨て紙おむつ。
【請求項１０】
前記本体の前記前面部における前記背面部と反対側位置に横方向に伸縮する第二弾性伸縮領域を形成したことを特徴とする請求項３，４，７，８のいずれか１項に記載の使い捨て紙おむつ。
【発明の詳細な説明】
【技術分野】
【０００１】
本発明は、横漏れを防止する使い捨て紙おむつに関するものである。
【背景技術】
【０００２】
従来から、乳幼児や、寝たきりの老人や、一時的に寝たきり状態の病人に、使い捨て紙おむつが使用されている。従来既知の使い捨て紙おむつには一般に、１枚のシート状のものをブリーフのような立体形状に組み立てるものと、最初から立体的なブリーフ状に組み立てたものとがある。１枚のシート状のものは、最初から立体的なブリーフ状に組み立てたものに比べて着脱が容易であるため、外出用だけでなく寝たきり状態用にも広く使用されている。１枚のシート状のものを立体形状に組み立てる使い捨て紙おむつは、例えば特許文献１に示されており、その使い捨て紙おむつを図９乃至図１１について説明する。
【０００３】
図９に示すように、１枚のシート状の使い捨て紙おむつ７０は、１枚のシート状の本体７２と、その本体７２の中央部に備えられる吸収ユニット７４とから成る。本体７２は、図９の縦方向の上部から下部にかけて上部の背面部７２ａ（人体装着時に背中側に接触する箇所）と下部の前面部７２ｂ（人体装着時に腹側に接触する箇所）と背面部７２ａと前面部７２ｂの中間の中間連絡部７２ｃとから成る。本体７２の縦方向は横方向よりも相対的に長く（縦方向や横方向は図７に示す方向）、背面部７２ａと前面部７２ｂの横幅は中間連絡部７２ｃの横幅に比べて長く設定されている。吸収ユニット７４は、本体７２の縦方向に沿った長い形状に設定されている。本体７２の背面部７２ａの左右に、固定手段としの接着テープ７６が取付けられている。本体７２の中間連絡部７２ｃの両縁付近には、両縁に沿ってばね等の弾性伸縮部材７８が備えられている。中間連絡部７２ｃの両縁は人体の太ももの周囲沿って巻き付けられるものである。
【０００４】
図１０に示すように、吸収ユニット７４は一般に、不織布等から成る透液性トップシート８０と、非透液性素材から成るバックシート８２の間に備えられる。吸収ユニット７４は一般に、ポリエチレン等から成る容器状の非透液性部材８４と、その非透液性部材８４の内部に備えられるものであって綿状パルプ等から成る吸収体８６と、吸収体８６の上面を覆うもので外部から吸収体８６側へ液体を通すが吸収体８６側から外部へ液を通さない液体片側透過シート８８とから成る。
【０００５】
尿等の液体が吸収ユニット７４の上にもたらされると、液体は透液性トップシート８０から液体片側透過シート８８を経て吸収体８６に吸収される。吸収体８６に吸収された液体は非透液性部材８４に囲まれて、外部に漏れ出ないにようになっている。また、液体片側透過シート８８は一方方向（吸収体８６側に向けて）に液体を通過させるが、反対方向に通過しない素材を用いている。このため、吸収体８６側に吸収された液体は、吸収体８６の内部に吸収貯蔵され、原則的には外部に漏れ出ることは無い。
【０００６】
図９に示す使い捨て紙おむつ７０を組み立てる場合には、シート状の本体７２を、中間連絡部７２ｃの位置を中心に、背面部７２ａと前面部７２ｂとを対向させるように吸収ユニット７４側に２つに折り曲げる。そして、背面部７２ａの左右に取付けた接着テープ７６を図９における前面部７２ｂの裏側に接着する。この紙おむつ７０の組み立て状態を図１１に示す。実際には、図９の状態から図１１の状態に組み立てる際には、紙おむつを装着する人の背中に本体７２の背面部７２ａを接合させ、本体７２の中間連絡部７２ｃの外縁９０を、紙おむつを装着する人の太ももの内側に接触させ、紙おむつを装着する人の腹に前面部７２ａを接合させる。その後、背面部７２ａの左右に取付けた接着テープ７６を前面部７２ｂの裏側に接着する。これによって、紙おむつ７０が立体的になり（図１１）、人体に紙おむつ７０を取付けることができる。
【０００７】
【特許文献１】特開２０００−２１７８６２
【発明の開示】
【発明が解決しようとする課題】
【０００８】
本体７２の中間連絡部７２ｃの外縁９０付近には、両縁に沿ってばね等の弾性伸縮部材７８が備えられている。この弾性伸縮部材７８は、太ももの周囲の一部（全周ではない）に位置するものであるが、その弾性伸縮部材７８の働きは人の太ももの大きさに合わせて、中間連絡部７２ｃの両外縁９０に沿った長さを調節するものである。更に、弾性伸縮部材７８における一端９４ａと他端９４ｂ（図９）とは、組み立てた状態（図１１）において何ら連絡関係にはない。このため、弾性伸縮部材７８は太ももの周囲を締付けるものではなく、太ももの周囲の一部に緩んだ状態で配置されている。
【０００９】
紙おむつ７０では一般に、寝返りを繰り返したり、体を動かしたりすると、非透液性部材８４や液体片側透過シート８８が破損する場合があり、その場合には、吸収体８６に含まれている液体が外部に漏れ出るおそれがある。吸収体８６に含まれている液体が漏れ出た場合には、弾性伸縮部材７８は液体の漏れ止めにはならず、漏れ出た液体は弾性伸縮部材７８の位置を経由して、紙おむつ７０の外部に漏れ出ていた。このように、１枚のシート状の使い捨て紙おむつを組み立ててなるものは、太ももの周囲の覆う箇所が緩んだ状態となり、この位置での液体の漏れを防止することができず、紙おむつ７０から漏れた液体が衣類に染み出るという不具合があった。
【００１０】
本発明は上記の点に鑑みてなされたものであり、１枚のシート状の本体の組み立てた状態において、人体の太ももの周囲を弾性伸縮部材で一周させてその弾性伸縮部材の両端を固定状態とすることで、横漏れを防止することができる使い捨て紙おむつを提供することを目的とするものである。
【課題を解決するための手段】
【００１１】
本発明の使い捨て紙おむつは、人体に接触する内側面と人体に接触しない外側面とを有する１枚のシート状の本体と、前記本体の前記内側面の中央に備えられるものであって液体を吸収貯蔵する主吸収ユニットとを有する使い捨て紙おむつにおいて、前記本体の外縁と前記主吸収ユニットとの間に伸縮自在な第一弾性伸縮部材を備え、前記第一弾性伸縮部材の一端と他端とを接合または近接させるように前記内側面の一部と前記外側面の一部とを重ね合わせ、その重ね合わせた箇所またはその重ね合わせた箇所の近傍を連結用固定手段で着脱自在に固定することを特徴とするものである。本発明は、前記第一弾性伸縮部材の近傍でその第一弾性伸縮部材の位置より前記主吸収ユニット側に液体を吸収貯蔵する第一副吸収ユニットを備えることを特徴とするものである。本発明は、前記連結用固定手段を前記本体の前記外側面に取付けた第一連結用固定手段とし、前記第一連結用固定手段に前記本体の前記内側面の一部を着脱自在に固定することを特徴とするものである。本発明は、前記連結用固定手段を前記本体の前記内側面か前記外側面のいずれかに取付けた第二連結用固定手段とし、前記第二連結用固定手段を前記本体の前記外側面に着脱自在に固定することを特徴とするものである。本発明は、前記本体における前記第一弾性伸縮部材の位置と前記主吸収ユニットの位置の間に第二弾性伸縮部材を備え、前記第二弾性伸縮部材の一端と前記第二弾性伸縮部材の他端とを接合または近接させるように前記内側面の一部と前記外側面の一部とを重ね合わせ、その重ね合わせた箇所またはその重ね合わせた箇所の近傍を前記連結用固定手段で着脱自在に固定することを特徴とするものである。本発明は、前記第二弾性伸縮部材の近傍でその第二弾性伸縮部材の位置より前記主吸収ユニット側に液体を吸収貯蔵する第二副吸収ユニットを備えることを特徴とするものである。本発明は、前記連結用固定手段を前記本体の前記外側面に取付けた第一連結用固定手段とし、前記第一連結用固定手段に前記本体の前記内側面の一部を着脱自在に固定することを特徴とするものである。本発明は、前記連結用固定手段を前記本体の前記前記内側面か前記外側面のいずれかに取付けた第二連結用固定手段とし、前記第二連結用固定手段を前記本体の前記外側面に着脱自在に固定することを特徴とするものである。本発明は、前記本体の前記背面部における前記前面部と反対側位置に横方向に伸縮する第一弾性伸縮領域を形成したことを特徴とするものである。本発明は、前記本体の前記前面部における前記背面部と反対側位置に横方向に伸縮する第二弾性伸縮領域を形成したことを特徴とするものである。
【発明の効果】
【００１２】
本発明に係る使い捨て紙おむつによれば、太ももの周囲に位置する本体箇所に第一弾性伸縮部材を備え、装着時に第一弾性伸縮部材の一端またはその付近と他端またはその付近とを固定手段で固定状態とする。即ち、第一弾性伸縮部材を弾力性のある環状即ち輪ゴム状とし、その輪ゴム状の第一弾性伸縮部材で太ももの周囲を弾力的に締付けた状態とする。主吸収ユニットから液体が外側に漏れ出たとしても、その液体は第一弾性伸縮部材で阻止され、第一弾性伸縮部材の位置より外側に漏れ出ることはない。よって、主吸収ユニットから漏れ出た液体が衣類に染み出るという不具合を防止することができる。その際に、第一弾性伸縮部材の位置より主吸収ユニット側に位置する透過性かつ吸水性のある素材から成るトップシートで、少量ではあるが液体を吸収保持することができる。
また、第一弾性伸縮部材の位置より主吸収ユニット側の本体に、太ももの周囲を弾力的に締付ける第二弾性伸縮部材を設ける。その場合には、第一弾性伸縮部材と第二弾性伸縮部材との二重の漏れ防止となり、第一弾性伸縮部材のみを備えたものと比べて、更なる漏れ防止となる。
【００１３】
本体の内側面において第一弾性伸縮部材の近傍で主吸収ユニット側に第一副吸収ユニットを備える。その場合には、第一弾性伸縮部材の太ももへの締め付け力によって、第一副吸収ユニットも太ももの周りに密着した状態で接触する。この結果、主吸収ユニットから液体が外側に漏れ出たとしても、その液体は第一副吸収ユニットに吸収され、第一副吸収ユニットの位置で液体の漏れを防止することができる。その上、第一弾性伸縮部材とも合わせた二重の漏れ防止とすることができる。よって、主吸収ユニットから漏れ出た液体が衣類に染み出るという不具合を更に防止することができる。
また、本体の内側面において第二弾性伸縮部材の近傍で主吸収ユニット側に第二副吸収ユニットを備える。即ち、第一弾性伸縮部材並びに第一副吸収ユニットの組と、第二弾性伸縮部材並びに第二副吸収ユニットの組との２組を設ける。第二弾性伸縮部材並びに第二副吸収ユニットの組を設けた場合には、第二弾性伸縮部材の太ももへの締め付け力によって、第二副吸収ユニットも太ももの周りに密着した状態で接触する。この結果、主吸収ユニットから液体が外側に漏れ出たとしても、その液体は第二副吸収ユニット及び第一副吸収ユニットに吸収され、液体が第一弾性伸縮部材より外側に漏れるのを防止することができる。その上、第二弾性伸縮部材及び第一弾性伸縮部材も合わせた四重の漏れ防止とすることができる。よって、主吸収ユニットから漏れ出た液体が衣類に染み出るという不具合をより確実に防止することができる。
【発明を実施するための最良の形態】
【００１４】
次に、本発明の使い捨て紙おむつを図面に基づいて説明する。
図１は本発明に係る使い捨て紙おむつを１枚のシート状に開いた状態を示す正面図、図２は図１の背面図である。図１並びに図２に示す使い捨て紙おむつ１０は、１枚のシート状で略Ｔ字形状の本体１２を有する。図１は人体に接触する内側面を示し、図２は人体に接触しない外側面を示す。本体１２は図１及び図２の縦方向において、背面部１２ａ（紙おむつの装着時に人体の背中側に接触する箇所）と、前面部１２ｂ（紙おむつの装着時に人体の腹側に接触する箇所）と、背面部１２ａと前面部１２ｂとの間の中間連絡部１２ｃとから成る。本体１２は、殆どの箇所が人体に接触する内側面１２ｄ（図１）と、人体に接触しない外側面１２ｅ（図２）とを有する。前面部１２ｂの横幅はお腹の前面にのみ接触する狭い同一幅（２０〜３０ｃｍ）に設定することが望ましく、背面部１２ａの横幅は前面部１２ｂに比べて充分長いものに設定する。中間連絡部１２ｃの横幅は、背面部１２ａの横幅から前面部１２ｂの横幅まで横幅が変わる。中間連絡部１２ｃの外縁１３は曲線状となっており、人体に装着した際に、太ももを覆うが言い縁となる。
【００１５】
図１及び図２において、本体１２の背面部１２ａの上部に、横方向に伸縮自在な第一弾性伸縮領域１４を備える。この第一弾性伸縮領域１４は、背面部１２ａの面積の約半分を占める略四角の領域である。この第一弾性伸縮領域１４には、横方向に平行な複数のばね等の弾性伸縮部材１６を有している。図１及び図２おいて、本体１２の前面部１２ｂの下部に、横方向に伸縮自在な第二弾性伸縮領域１８を備えている。この第二弾性伸縮領域１８は、前面部１２ｂの面積の約半分を占める略四角の領域である。この第二弾性伸縮領域１８には、横方向に平行な複数のばね等の弾性伸縮部材２０を備えている。
【００１６】
本体１２における第一弾性伸縮領域１４と第二弾性伸縮領域１８との間の中央部に、尿等の液体を吸収する主吸収ユニット２２が備えられる。ここで、本体１２と主吸収ユニット２２とを、図１のＡ−Ａ線拡大断面図である図３に基づいて説明する。本体１２は、不織布等から成る透液性かつ吸水性のあるトップシート２４と、非透液性素材から成るバックシート２６とを接着したものから成る。透液性のあるトップシート２４は人体に直接接触する内側面１２ｄ側（図１）に配置され、バックシート２６は人体に接触しない外側面１２ｅ側（図２）に配置される。透液性のあるトップシート２４は一般に、後述する固定手段である接着部材が接着できる素材から成り、非透液性素材から成るバックシート２６は一般に、後述する固定手段である接着部材が接着できない素材から成る。しかし、非透液性素材から成るバックシート２６を、接着部材が接着できる素材としても良い。
【００１７】
主吸収ユニット２２は、ポリエチレン等から成る容器状の非透液性部材２８と、その非透液性部材２８の内部に備えられるものであって綿状パルプ等から成る吸収体３０と、吸収体３０の上面を覆うもので外部から吸収体３０側へ液体を通すが吸収体３０側から外部へ液を通さない液体片側透過シート３２とから成る。なお、主吸収ユニット２２は、液体を内部に吸収して保留するものであれば、この構成に限るものではない。更に、主吸収ユニット２２は、図３では、透液性トップシート２４と非透液性バックシート２６との間に備えられている状態を示しているが、透液性トップシート２４の外面に備えるものであっても良い。
【００１８】
図１及び図３に示すように、本体１２には、主吸収ユニット２２の位置より外側（本体１２の外縁側）に向けて、順に第二副吸収ユニット３４とばね等の第二弾性伸縮部材３６が備えられる。本体１２には、第二弾性伸縮部材３６の位置より更に外側（本体１２の外縁側）に向けて、順に第一副吸収ユニット３８とばね等の第一弾性伸縮部材４０が備えられる。第一弾性伸縮部材４０は、本体１２の中間連結部１２ｃの外縁１３の近傍に備えられ、しかも外縁１３に沿った形状に形成される。第一副吸収ユニット３８は第一弾性伸縮部材４０の近傍に配置され、しかも第一弾性伸縮部材４０に沿った形状に形成される。第二弾性伸縮部材３６と第二副吸収ユニット３４の近傍に配置され、それらは第一弾性伸縮部材４０と第一副吸収ユニット３８に沿った形状に形成される。
【００１９】
第二副吸収ユニット３４、第二弾性伸縮部材３６、第一副吸収ユニット３８及び第一弾性伸縮部材４０においては、各端が本体の外縁までに至るのが望ましいが、それに限るものではない。ここで、第二副吸収ユニット３４と第二弾性伸縮部材３６とを１組とし、第一副吸収ユニット３８と第一弾性伸縮部材４０とを１組とし、合計２組を設けたが、１組だけであっても良い。１組だけの場合は、弾性伸縮部材を中間連絡部１２ｃの外縁１３に近傍に備えることが望ましい。
【００２０】
弾性伸縮部材と副吸収ユニットとの組を合計２組を設けた場合には、内側の第二弾性伸縮部材３６は、紙おむつの装着時に、腹と太ももとの境目の折曲げ皺の付近に位置するように設定するのが望ましい。第二弾性伸縮部材３６を腹と太ももとの境目の折曲げ皺の位置に配置した場合には、折曲げ皺の位置よりも腹側に第二副吸収ユニット３４が位置するため、折曲げ皺に至る前に液体の漏れを防止でき、例えば椅子に座っている場合に太ももへの液体の漏れを防止できる。副吸収ユニットと弾性伸縮部材とを１組とした場合には、弾性伸縮部材の位置は、折曲げ皺の位置に配置しても、折曲げ皺の位置より下の太ももの位置に配置しても良い。
【００２１】
第二副吸収ユニット３４は、その横幅は主吸収ユニット２２の横幅よりも大幅に狭いものとする（図１及び図３）。第二副吸収ユニット３４は、図３に示すように、ポリエチレン等から成る一面を開口する容器形状の非透液性部材４２ａと、その容器形状の非透液性部材４２ａの内部に備えられる綿状パルプ等から成る吸収体４４ａと、吸収体４４ａの上面全体を覆うもので外部から吸収体４４ａ側へ液体を通すが吸収体４４ａ側から外部へ液を通さない液体片側透過シート４６ａとから構成されている。容器形状の非透液性部材４２ａは、主吸収ユニット２２に近い側の高さが主体１２の外縁側に近い側の高さより低く形成されており、主吸収ユニット２２から外側横方向に尿等が漏れ出た場合に、第二副吸収ユニット３４の吸収体４４ａに容易に吸収し易い形状に設定するのが望ましい。第二副吸収ユニット３４は、尿等を内部に吸収して保留するものであれば、この構成に限るものではない。
【００２２】
第一副吸収ユニット３８は、図３に示すように、その横幅は主吸収ユニット２２の横幅よりも大幅に狭いものとする。第一副吸収ユニット３８は、ポリエチレン等から成る一面を開口する容器形状の非透液性部材４２ｂと、その容器形状の非透液性部材４２ｂの内部に備えられる綿状パルプ等から成る吸収体４４ｂと、吸収体４４ｂの上面全体を覆うもので外部から吸収体４４ｂ側へ液体を通すが吸収体４４ｂ側から外部へ液を通さない液体片側透過シート４６ｂとから構成されている。容器形状の非透液性部材４２ｂは、主吸収ユニット２２（第二副吸収ユニット３４）に近い側の高さが主体１２の外縁側に近い側の高さより低く形成されており、第二副吸収ユニット３４を越えて横方向に尿等が漏れ出た場合に、第一副吸収ユニット３８の吸収体４４ｂに容易に吸収し易い形状に設定するのが望ましい。第一副吸収ユニット３８は、尿等の液体を内部に吸収して保留するものであれば、この構成に限るものではない。
【００２３】
図１及び図２に示すように、本体１２の背面部１２ａの左右外縁側に主固定手段４８と第二連結用固定手段５０とを備えている。主固定手段４８と第二連結用固定手段５０は、片面に接着剤を備えたものか、あるいは片面にベルクロファスナー等の機械的ファスナーの一方の係合部を備えたものかの接着部材を使用するのが望ましいが、接着部材はこれらに限るものではない。主固定手段４８と第二連結用固定手段５０は、本体１２の被接着面５４（後述する）に着脱自在に固定できるものとする。図１に示す主固定手段４８と第二連結用固定手段５０は、接着部材が露出する面であり、図２に示す主固定手段４８と第二連結用固定手段５０は、接着部材が露出しない面である。実際には、図１に示す主固定手段４８と第二連結用固定手段５０には、接着部材を覆う保護テープ（図示せず）が張り付けられており、組立て時に保護テープ（図示せず）を外して接着部材を露出させる。主固定手段４８は、本体１２の背面部１２ａの左右に２個ずつ備えているが、何個備えるものであっても良い。
【００２４】
第二連結用固定手段５０は、図１に示すように、第二弾性伸縮部材３６の一端及び第一弾性伸縮部材４０の一端と連結する位置に取付ける。なお、第二連結用固定手段５０を２つに分けて、第二弾性伸縮部材３６の一端には２つに分けた第二連結用固定手段５０の１個と連結し、第一弾性伸縮部材４０の一端には、２つに分けた第二連結用固定手段５０の他の１個と連結するようにしても良い。
【００２５】
図２に示すように、本体１２の外側面１２ｅにおいて、前面部１２ｂに近い中間連絡部１２ｃの位置または中間連絡部１２ｃに近い前面部１２ｂの位置の両側に、第一連結用固定手段５２を取付ける。この第一連結用固定手段５２も、片面に接着剤を備えたものか、あるいは片面にベルクロファスナー等の機械的ファスナーの一方の係合部を備えたものかの接着部材を使用するのが望ましいが、接着部材はこれに限るものではない。第一連結用固定手段５２は、本体１２の内側面１２ｄに着脱自在に固定できるものとする。この第一連結用固定手段５２の裏側（図１）には、第二弾性伸縮部材３６の他端及び第一弾性伸縮部材４０の他端を位置させる。即ち、第二弾性伸縮部材３６の他端及び第一弾性伸縮部材４０の他端は、第一連結用固定手段５２と連結された状態とする。なお、第一連結用固定手段５２を２つに分けて、第二弾性伸縮部材３６の他端には２つに分けた第一連結用固定手段５２の１個と連結し、第一弾性伸縮部材４０の他端には、２つに分けた第一連結用固定手段５２の他の１個と連結するようにしても良い。
【００２６】
図２に示すように、本体１２の外側面１２ｅにおいて、前面部１２ｂのほぼ全域と中間連絡部１２ｃの途中に至るまでの領域に、主固定手段４８と第二連結用固定手段５０が容易に着脱分離できる素材から成る被接着面５４を固定する。この被接着面５４には、本体１２の内側面１２ｄの第二弾性伸縮領域１８（図１）に合致する箇所に、横方向に平行な複数のばね等の弾性伸縮部材５６を備えた第二弾性伸縮領域５８が形成されている。この第二弾性伸縮領域５８は、第二弾性伸縮領域１８と共に横方向に伸縮可能である。即ち、前面部１２ｂの自由端側は横方向に伸縮自在となっている。なお、第二弾性伸縮領域１８を伸縮させる弾性伸縮部材２０と、第二弾性伸縮領域５８を伸縮させる弾性伸縮部材５６とを、同じ弾性伸縮部材としても良い。
【００２７】
次に、１枚のシート状の本体１２を組立てて立体状の紙おむつ１０を作る手順について説明する。図１において、シート状の本体１２を中間連絡部１２ｃの水平方向を中心として、前面部１２ｂの下縁を背面部１２ａの上縁に合わせる方向に折り畳む。即ち、本体１２の内側面１２ｄを合わせるように本体１２を折り畳んで、図４の状態とする。実際には、人体の下半身を包むように本体１２の内側面１２ｄを折り畳み、図５の状態とする。この図５の状態では、人体の背中側に内側面１２ｄ側の第一弾性伸縮領域１４（図４参照）が接触し、人体の腹側に内側面１２ｄ側の第二弾性伸縮領域１８（図４参照）が接触する。
【００２８】
図４及び図５の状態から、第二弾性伸縮部材３６の両端と第一弾性伸縮部材４０の両端とを接合または近接させるように、本体１２の内側面１２ｄの一部（背面部１２ａの左右両側）を本体１２の外側面１２ｅの一部（前面部１２ｂの被接着面５４）に向けて重ね合せる。これによって、主固定手段４８と第二連結用固定手段５０とを被接着面５４に接着できる状態とする（図６及び図７）。また、本体１２の第二連結用固定手段５０の近接領域６０（内側面１２ｄ）を第一連結用固定手段５２に重ね合せた状態とする。図５の状態から図７の状態とする際に、本体１２で人体を挟んだ状態（図５）にして、第二弾性伸縮部材３６と第一弾性伸縮部材４０とを適宜伸張させる。図６及び図７の状態において、先ず、本体１２の近接領域６０（本体１２の内側面１２ｄの一部）を第一連結用固定手段５２（本体１２の外側面１２ｅの一部）に接合させる。この結果、本体１２の内側面１２ｄと第一連結用固定手段５２（本体１２の外側面１２ｅ）とが接着固定される。更に、第二連結用固定手段５０を被接着面５４（本体１２の外側面１２ｅの一部）に接着させる。この接着状態では、本体１２の内側面１２ｄの一部を本体１２の外側面１２ｅの一部に接合した状態であり、その接合した箇所の近傍を第二連結用固定手段５０で固定することになる。なお、第二連結用固定手段５０は、本体１２の外側面１２ｅに接着固定するが、本体１２の内側面１２ｄに接着固定するものであっても良い。
【００２９】
図５に示すように、本体１２における第二連結用固定手段５０が接着した裏側位置に第二弾性伸縮部材３６の一端及び第一弾性伸縮部材４０の一端が位置し、第一連結用固定手段５２の裏側位置に第二弾性伸縮部材３６の他端及び第一弾性伸縮部材４０の他端が位置する。よって、第一連結用固定手段５２に本体１２の近接領域６０を接着させることで、第二弾性伸縮部材３６の一端と他端とが連結固定されると共に、第一弾性伸縮部材４０の一端と他端とが連結固定された状態となる。この結果、第二弾性伸縮部材３６と第一弾性伸縮部材４０はそれぞれ輪ゴムのような環状の弾性体となり、人体の太ももの周囲を第二弾性伸縮部材３６と第一弾性伸縮部材４０とで弾性的に締め付けることが可能となる。第二弾性伸縮部材３６と第一弾性伸縮部材４０とで太ももの周囲を締め付ける締め付け強さは、第二弾性伸縮部材３６と第一弾性伸縮部材４０とを引っ張って伸張させる強さによって自由に調節することができる。
【００３０】
上記説明では、第一連結用固定手段５２と本体１２の近接領域６０との接着と、第二連結用固定手段５０と被接着面５４との接着とに２箇所の接着を行うとしたが、どちらか（少なくとも一方）の接着を行えば、第二弾性伸縮部材３６の一端と他端とを連結固定状態とすると共に、第一弾性伸縮部材４０の一端と他端とを連結固定状態とすることができる。第一連結用固定手段５２を設けずに、第二連結用固定手段５０を被接着面５４に接着させるだけとした場合には、第二連結用固定手段５０が接着する位置の本体１２の前面部１２ｂに、第二弾性伸縮部材３６の他端及び第一弾性伸縮部材４０の他端を位置させておく。あるいは、第二連結用固定手段５０が接着する位置の本体１２の前面部１２ｂに、第二弾性伸縮部材３６の他端の近傍及び第一弾性伸縮部材４０の他端の近傍を位置させる。これによって、第二連結用固定手段５０を被接着面５４に接着させることで、第二弾性伸縮部材３６の両端を連結固定状態にすることができると共に、第一弾性伸縮部材４０の両端を連結固定状態にすることができる。なお、第一連結用固定手段５２と本体１２の近接領域６０との接着と、第二連結用固定手段５０と被接着面５４との接着との両方の接着を行えば、第二弾性伸縮部材３６と第一弾性伸縮部材４０との両端の連結固定状態をより強固にすることができる。
【００３１】
図７では、第二弾性伸縮部材３６並びに第一弾性伸縮部材４０と第一連結用固定手段５２との関係を示したが、図８では、第二副吸収ユニット３４並びに第二弾性伸縮部材３６から成る１組と第一連結用固定手段５２との関係と、第一副吸収ユニット３８と第一弾性伸縮部材４０から成る１組と第一連結用固定手段５２との関係を示す。図８に示すように、両端を連結した状態の第二弾性伸縮部材３６の位置よりやや上方（主吸収ユニット２２に相対的に近い位置）に第二副吸収ユニット３４をほぼ環状に太ももの周囲に備える。更に、両端を連結した状態の第一弾性伸縮部材４０の位置よりやや上方（主吸収ユニット２２に相対的に近い位置）に第一副吸収ユニット３８をほぼ環状に太ももの周囲に備える。
【００３２】
第二弾性伸縮部材３６の両端と第一弾性伸縮部材４０の両端とを固定状態とすることで、第二弾性伸縮部材３６も第一弾性伸縮部材４０も太ももの周囲に隙間無くぴったり巻き付けることができる。このため、第二弾性伸縮部材３６に近接する第二副吸収ユニット３４も、第一弾性伸縮部材４０に近接する第一副吸収ユニット３８も、太ももに隙間無くぴったり接触することができる。図８には、第二副吸収ユニット３４も第一副吸収ユニット３８も、人体の太ももを一周する長さに示してあり、人体の太ももを一周する長さにして、交差する箇所を設けることが望ましい。しかし、第二副吸収ユニット３４も第一副吸収ユニット３８も、尿等の液体が漏れ出るおそれのある箇所（内股からお尻を経由して側面に至るまでの箇所）のみに備えるものであれば良く、必ずしも人体の太ももを一周して交差する長さにしなくても良い。
【００３３】
第一連結用固定手段５２に本体１２の内側面１２ｄの背面部１２ａを接着させると共に、第二連結用固定手段５０を被接着面５４（本体１２の外側面１２ｅ）に接着させた後、主固定手段４８を被接着面５４に接着させる（図６）。主固定手段４８を被接着面５４に接着させる際、体が大きい人の場合には、第一弾性伸縮領域１４を横方向に伸ばすことによって、本体１２の背面部１２ａを横方向に伸ばすことができ、主固定手段４８を被接着面５４に接着することができる。また、体が更に大きい人の場合には、第二弾性伸縮領域１８，５８を横方向に伸ばすことによって前面部１２ｂを横方向に伸ばすことができ、主固定手段４８を被接着面５４に接着することができる。
【００３４】
以上のように構成した使い捨て紙おむつ１０は、太ももの周囲に第一弾性伸縮部材４０を巻き付けてその両端を固定する。この第一弾性伸縮部材４０の太ももの周囲への弾力的な巻き付けによって、第一弾性伸縮部材４０は太ももの周囲に隙間無くぴったり接着する。この結果、主吸収ユニット２２から尿等の液体が主吸収ユニット２２から外側に漏れ出ることがあっても、少量であれば第一弾性伸縮部材４０の位置で液体の漏れを防止することができる。なお、この第一弾性伸縮部材４０より主吸収ユニット２２側に位置するトップシート２４に漏れ出た若干の液体を吸収することができるので、第一弾性伸縮部材４０だけであっても液体の漏れを防止することができ、衣類に液体が付着するのを防止することができる。また、第一弾性伸縮部材４０の位置よりも主吸収ユニット２２側に第二弾性伸縮部材３６を備えれば、二重の弾性伸縮部材を太ももに巻き付けることになり、主吸収ユニット２２から漏れ出た液体の外部への漏れをより確実に防止することができる。
【００３５】
更に、第一弾性伸縮部材４０の位置より主吸収ユニット２２側でしかも第一弾性伸縮部材４０に近接した位置に液体を吸収保留する第一副吸収ユニット３８を設けても良い。この場合、第一副吸収ユニット３８は第一弾性伸縮部材４０によって太ももに隙間無くぴったり接触させることができる。この結果、主吸収ユニット２２から液体が太もも側に漏れ出ることがあっても、第一副吸収ユニット３８によって液体を吸収して、第一弾性伸縮部材４０に尿等の液体が至らなくなり、衣類に液体が付着するのを防止することができる。その上、第二弾性伸縮部材３６の位置より主吸収ユニット２２側でしかも第二弾性伸縮部材３６に近接した位置に液体を吸収保留する第二副吸収ユニット３４を設けても良い。この場合も、第二副吸収ユニット３４は第二弾性伸縮部材３６によって太ももに隙間無くぴったり接触する。この結果、第一副吸収ユニット３８と第二副吸収ユニット３４との二重の副吸収ユニットが太ももに巻き付けられたことになり、主吸収ユニット２２から液体が太もも側に漏れ出ることがあっても、二重の副吸収ユニットによって尿等の液体を吸収し、衣類に液体が付着するのをより確実に防止することができる。
【００３６】
更に、人体のお腹に接触する本体の前面部１２ｂの横幅を狭くする（横幅を２０〜３０ｃｍ）ことによって、主固定手段４８や第一接触手段５０や第二接触手段５２を人体の前面で着脱することが容易となり、外出時における紙おむつの取換えを容易に行うことができる。
【００３７】
なお、前述の説明では、第二弾性伸縮部材３６並びに第二副吸収ユニット３４と、第一弾性伸縮部材４０並びに第一副吸収ユニット３８との２組の弾性伸縮部材と吸収ユニットとを設けたが、１組の弾性伸縮部材と吸収ユニットのみであっても良い。しかし、２組とすることで、横漏れをより確実に防止することができる。
【図面の簡単な説明】
【００３８】
【図１】本発明に係る使い捨て紙おむつの正面図である。
【図２】本発明に係る使い捨て紙おむつの背面図である。
【図３】図１のＡ−Ａ線拡大断面図である。
【図４】図１の状態から、使い捨て紙おむつを縦方向に２つに折曲げた状態を示す正面図である。
【図５】人体に適応した図４の状態の部分拡大正面図である。
【図６】図４の状態から、本体の背面部の両側を中央に折曲げた状態を示す正面図である。
【図７】人体に適応した図６の状態の部分拡大正面図である。
【図８】２組の弾性伸縮部材と吸収ユニットとを人体に適応した状態を示す説明図である。
【図９】従来の使い捨て紙おむつの正面図である。
【図１０】図９に示す使い捨て紙おむつの要部断面図である。
【図１１】図９の使い捨て紙おむつの組立て状態を示す斜視図である。
【符号の説明】
【００３９】
１０  使い捨て紙おむつ
１２  本体
１２ｄ  内側面
１２ｅ  外側面
１３  外縁
１４  第一弾性伸縮領域
１６  弾性伸縮部材
１８  第二弾性伸縮領域
２０  弾性伸縮部材
２２  主吸収ユニット
３４  第二副吸収ユニット
３６  第二弾性伸縮部材
３８  第一副吸収ユニット
４０  第一弾性伸縮部材
５０  第一固定手段
５２  第二固定手段
５４  被接着面
５６  弾性伸縮部材
５８  第二弾性伸縮領域
【図１】
2009153558.tif 000003
【図２】
2009153558.tif 000004
【図３】
2009153558.tif 000005
【図４】
2009153558.tif 000006
【図５】
2009153558.tif 000007
【図６】
2009153558.tif 000008
【図７】
2009153558.tif 000009
【図８】
2009153558.tif 000010
【図９】
2009153558.tif 000011
【図１０】
2009153558.tif 000012
【図１１】
2009153558.tif 000013
【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
人体に接触する内側面と人体に接触しない外側面とを有する１枚のシート状の本体と、前記本体の前記内側面の中央に備えられるものであって液体を吸収貯蔵する主吸収ユニットとを有する使い捨て紙おむつにおいて、前記本体の外縁と前記主吸収ユニットとの間に備える伸縮自在な第一弾性伸縮部材と、前記第一弾性伸縮部材の近傍でその第一弾性伸縮部材の位置より前記主吸収ユニット側に備えるものであって液体を吸収貯蔵する第一副吸収ユニットと、前記第一弾性伸縮部材の一端と他端とを着脱自在に固定するための連結用固定手段と、を有することを特徴とする使い捨て紙おむつ。
【請求項２】
前記本体における前記第一副吸収ユニットの位置と前記主吸収ユニットの位置の間に第二弾性伸縮部材を備え、前記第二弾性伸縮部材の近傍でその第二弾性伸縮部材の位置より前記主吸収ユニット側に液体を吸収貯蔵する第二副吸収ユニットを備え、前記第二弾性伸縮部材の一端と他端とを連結用固定手段で着脱自在に固定することを特徴とする請求項１記載の使い捨て紙おむつ。
【請求項３】
前記第一弾性伸縮部材の一端と他端とを固定する連結用固定手段と、前記第二弾性伸縮部材の一端と他端とを固定する連結用固定手段とを１つの部材としたことを特徴とする請求項２記載の使い捨て紙おむつ。
【請求項４】
前記連結用固定手段を前記本体の前記外側面に取付けた第一連結用固定手段とし、前記第一連結用固定手段が前記本体の前記内側面の一部に着脱自在に固定することを特徴とする請求項１乃至３のうちのいずれか１項に記載の使い捨て紙おむつ。
【請求項５】
前記連結用固定手段を前記本体の前記内側面か前記外側面のいずれかに取付けた第二連結用固定手段とし、前記第二連結用固定手段が前記本体の前記外側面に着脱自在に固定することを特徴とする請求項１乃至３のうちのいずれか１項に記載の使い捨て紙おむつ。
【手続補正２】
【補正対象書類名】明細書
【補正対象項目名】００１１
【補正方法】変更
【補正の内容】
【００１１】
本発明の使い捨て紙おむつは、人体に接触する内側面と人体に接触しない外側面とを有する１枚のシート状の本体と、前記本体の前記内側面の中央に備えられるものであって液体を吸収貯蔵する主吸収ユニットとを有する使い捨て紙おむつにおいて、前記本体の外縁と前記主吸収ユニットとの間に備える伸縮自在な第一弾性伸縮部材と、前記第一弾性伸縮部材の近傍でその第一弾性伸縮部材の位置より前記主吸収ユニット側に備えるものであって液体を吸収貯蔵する第一副吸収ユニットと、前記第一弾性伸縮部材の一端と他端とを着脱自在に固定するための連結用固定手段と、を有することを特徴とするものである。本発明は、前記本体における前記第一副吸収ユニットの位置と前記主吸収ユニットの位置の間に第二弾性伸縮部材を備え、前記第二弾性伸縮部材の近傍でその第二弾性伸縮部材の位置より前記主吸収ユニット側に液体を吸収貯蔵する第二副吸収ユニットを備え、前記第二弾性伸縮部材の一端と他端とを連結用固定手段で着脱自在に固定することを特徴とするものである。本発明は、前記第二弾性伸縮部材の一端と他端とを固定する連結用固定手段と、前記第一弾性伸縮部材の一端と他端とを固定する連結用固定手段とを１つの部材としたことを特徴とするものである。本発明は、前記連結用固定手段を前記本体の前記外側面に取付けた第一連結用固定手段とし、前記第一連結用固定手段が前記本体の前記内側面の一部に着脱自在に固定することを特徴とするものである。本発明は、前記連結用固定手段を前記本体の前記内側面か前記外側面のいずれかに取付けた第二連結用固定手段とし、前記第二連結用固定手段が前記本体の前記外側面に着脱自在に固定することを特徴とするものである。
【手続補正３】
【補正対象書類名】明細書
【補正対象項目名】００１２
【補正方法】変更
【補正の内容】
【００１２】
本発明に係る使い捨て紙おむつによれば、太ももの周囲に位置する本体箇所に第一弾性伸縮部材を備え、第一弾性伸縮部材の近傍で主吸収ユニット側に第一副吸収ユニットを備え、装着時に第一弾性伸縮部材の一端またはその付近と他端またはその付近とを固定手段で固定状態とする。即ち、第一弾性伸縮部材を弾力性のある環状即ち輪ゴム状とし、その輪ゴム状の第一弾性伸縮部材で太ももの周囲を弾力的に締付けた状態とする。これによって、第一弾性伸縮部材の太ももへの締め付け力によって、第一副吸収ユニットも太ももの周りに密着した状態で接触する。この結果、主吸収ユニットから液体が外側に漏れ出たとしても、その液体は第一副吸収ユニットに吸収され、第一副吸収ユニットの位置で液体の漏れを防止することができる。更に、第一副吸収ユニットを越えて液体が外側に漏れ出てとしても、その液体は第一弾性伸縮部材で阻止され、第一弾性伸縮部材の位置より外側に漏れ出ることはない。即ち、第一弾性伸縮部材とも合わせた二重の漏れ防止とすることができる。よって、主吸収ユニットから漏れ出た液体が衣類に染み出るという不具合を防止することができる。
【手続補正４】
【補正対象書類名】明細書
【補正対象項目名】００１３
【補正方法】変更
【補正の内容】
【００１３】
本発明では、第一弾性伸縮部材の位置より主吸収ユニット側の本体に太ももの周囲を弾力的に締付ける第二弾性伸縮部材を備え、第二弾性伸縮部材の近傍で主吸収ユニット側に第二副吸収ユニットを備える。即ち、第一弾性伸縮部材並びに第一副吸収ユニットの組と、第二弾性伸縮部材並びに第二副吸収ユニットの組との２組を設ける。第二弾性伸縮部材並びに第二副吸収ユニットの組を設けた場合には、第二弾性伸縮部材の太ももへの締め付け力によって、第二副吸収ユニットも太ももの周りに密着した状態で接触する。この結果、主吸収ユニットから液体が外側に漏れ出たとしても、その液体は第二副吸収ユニット及び第一副吸収ユニットに吸収され、液体が第一弾性伸縮部材より外側に漏れるのを防止することができる。その上、第二弾性伸縮部材及び第一弾性伸縮部材も合わせた四重の漏れ防止とすることができる。よって、第一弾性伸縮部材と第二弾性伸縮部材との二重の漏れ防止となり、第一弾性伸縮部材のみを備えたものと比べて更なる漏れ防止となり、主吸収ユニットから漏れ出た液体が衣類に染み出るという不具合をより確実に防止することができる。
【手続補正５】
【補正対象書類名】明細書
【補正対象項目名】００１４
【補正方法】変更
【補正の内容】
【００１４】
次に、本発明の使い捨て紙おむつを図面に基づいて説明する。
図１は本発明に係る使い捨て紙おむつを１枚のシート状に開いた状態を示す正面図、図２は図１の背面図である。図１並びに図２に示す使い捨て紙おむつ１０は、１枚のシート状で略Ｔ字形状の本体１２を有する。図１は人体に接触する内側面を示し、図２は人体に接触しない外側面を示す。本体１２は図１及び図２の縦方向において、背面部１２ａ（紙おむつの装着時に人体の背中側に接触する箇所）と、前面部１２ｂ（紙おむつの装着時に人体の腹側に接触する箇所）と、背面部１２ａと前面部１２ｂとの間の中間連絡部１２ｃとから成る。本体１２は、殆どの箇所が人体に接触する内側面１２ｄ（図１）と、人体に接触しない外側面１２ｅ（図２）とを有する。前面部１２ｂの横幅はお腹の前面にのみ接触する狭い同一幅（２０〜３０ｃｍ）に設定することが望ましく、背面部１２ａの横幅は前面部１２ｂに比べて充分長いものに設定する。中間連絡部１２ｃの横幅は、背面部１２ａの横幅から前面部１２ｂの横幅まで横幅が変わる。中間連絡部１２ｃの外縁１３は曲線状となっており、人体に装着した際に、太ももを覆う外縁となる。
【手続補正６】
【補正対象書類名】明細書
【補正対象項目名】００１８
【補正方法】変更
【補正の内容】
【００１８】
図１及び図３に示すように、本体１２には、主吸収ユニット２２の位置より外側（本体１２の外縁側）に向けて、順に第二副吸収ユニット３４とばね等の第二弾性伸縮部材３６が備えられる。本体１２には、第二弾性伸縮部材３６の位置より更に外側（本体１２の外縁側）に向けて、順に第一副吸収ユニット３８とばね等の第一弾性伸縮部材４０が備えられる。第一弾性伸縮部材４０は、本体１２の中間連結部１２ｃの外縁１３の近傍に備えられ、しかも外縁１３に沿った形状に形成される。第一副吸収ユニット３８は第一弾性伸縮部材４０の近傍に配置され、しかも第一弾性伸縮部材４０に沿った形状に形成される。第二弾性伸縮部材３６は第二副吸収ユニット３４の近傍に配置され、それらは第一弾性伸縮部材４０と第一副吸収ユニット３８に沿った形状に形成される。
【手続補正７】
【補正対象書類名】明細書
【補正対象項目名】００１９
【補正方法】変更
【補正の内容】
【００１９】
第二副吸収ユニット３４、第二弾性伸縮部材３６、第一副吸収ユニット３８及び第一弾性伸縮部材４０においては、各端が本体の外縁までに至るのが望ましいが、それに限るものではない。ここで、第二副吸収ユニット３４と第二弾性伸縮部材３６とを１組とし、第一副吸収ユニット３８と第一弾性伸縮部材４０とを１組とし、合計２組を設けたが、１組だけであっても良い。１組だけの場合は、弾性伸縮部材を中間連絡部１２ｃの外縁１３の近傍に備えることが望ましい。
【手続補正８】
【補正対象書類名】明細書
【補正対象項目名】００２０
【補正方法】変更
【補正の内容】
【００２０】
弾性伸縮部材と副吸収ユニットとの組を合計２組設けた場合には、内側の第二弾性伸縮部材３６は、紙おむつの装着時に、腹と太ももとの境目の折曲げ皺の付近に位置するように設定するのが望ましい。第二弾性伸縮部材３６を腹と太ももとの境目の折曲げ皺の位置に配置した場合には、折曲げ皺の位置よりも腹側に第二副吸収ユニット３４が位置するため、折曲げ皺に至る前に液体の漏れを防止でき、例えば椅子に座っている場合に太ももへの液体の漏れを防止できる。副吸収ユニットと弾性伸縮部材とを１組とした場合には、弾性伸縮部材の位置は、折曲げ皺の位置に配置しても、折曲げ皺の位置より下の太ももの位置に配置しても良い。
【手続補正９】
【補正対象書類名】図面
【補正対象項目名】図１
【補正方法】変更
【補正の内容】
【図１】
2009153558.tif 000014